(57)【特許請求の範囲】
【請求項１】
濾過エレメントと、該濾過エレメントの外周に設けられ外方へ向けて拡開弾発された弾発可動片とを有し、
該弾発可動片は、その基部が濾過エレメントに連結されていると共に、該基部から折り返された先端部には自由端を有し、Ｖ字状の断面形状を呈しており、
また、上記濾過エレメント及び上記弾発可動片からなるフィルタは、側壁を有するフレーム内に挿入配設されており、
該フレームにおける上記側壁の挿入側には、上記弾発可動片の上記自由端を係止する係止部を有しており、
該係止部は、挿入側にはテーパ部を、内側には上記自由端の上面に当接する当接面を有しており、上記弾発可動片は、上記濾過エレメントの全周に配設されていることを特徴とするフィルタ。
【発明の詳細な説明】
【０００１】
【産業上の利用分野】
本発明は，例えば各種空調装置等におけるフィルタ，特にその構造に関する。
【０００２】
【従来技術】
例えば，自動車の空調装置においては，取り入れる空気に含まれるゴミ，埃等を除去するためのフィルタが使用されている。このフィルタは，フィルタ性能を維持するために，定期的に交換する必要がある。
従来のフィルタとしては，図７，図８に示すごとく，濾過エレメント９１１の周囲の端板９５１の外周にウレタンフォーム９４を貼設したフィルタ９１（図７）をフレーム９６１に押圧挿入したものがある。そして，フィルタ９１は，ウレタンフォーム９４の圧縮反発力によって，フレーム９６１内に押圧固定されている。
【０００３】
また，他のフィルタとしては，図９に示すごとく，濾過エレメント９１２の周囲に端板９５２を接着したフィルタ９２がある。そして，このように構成されたフィルタ９２は，フレーム９６２に挿入され，フレーム９６２の開口部に設けた突起部９６５によって端板９５２を直接押さえて，固定してある。
【０００４】
【解決しようとする課題】
しかしながら，上記従来のフィルタにおいては，次の問題がある。
即ち，前者の図８に示したフィルタ９１においては，交換時の組付け性は良好であるが，振動等によって，フレーム９６１の中からフィルタ９１が簡単に外れてしまう場合がある。また，簡単に外れてしまうことを防止するために上記ウレタンフォーム９４の厚みを厚くして，圧縮反発力を強くすることが考えられる。しかし，この場合は，フィルタ９１とウレタンフォーム９４とをフレーム９６１内に組み付ける，組付け性を悪化させてしまう。
【０００５】
また，後者の図９に示したタイプのフィルタ９２においては，振動等によってフィルタ９２がフレーム９６２から外れることはない。しかし，フレーム９６２の開口部における一方の突起部９６５と他方の突起部９６５との先端間隔がフィルタ９２の幅よりも狭い。そのため，フレーム９６２へのフィルタ９２の組付けが非常に困難であるという問題がある。
本発明は，かかる従来の問題点に鑑みてなされたもので，フレームへの組付け性が良好なフィルタを提供しようとするものである。
【０００６】
【課題の解決手段】
本発明は、濾過エレメントと、該濾過エレメントの外周に設けられ外方へ向けて拡開弾発された弾発可動片とを有し、
該弾発可動片は、その基部が濾過エレメントに連結されていると共に、該基部から折り返された先端部には自由端を有し、Ｖ字状の断面形状を呈しており、
また、上記濾過エレメント及び上記弾発可動片からなるフィルタは、側壁を有するフレーム内に挿入配設されており、
該フレームにおける上記側壁の挿入側には、上記弾発可動片の上記自由端を係止する係止部を有しており、
該係止部は、挿入側にはテーパ部を、内側には上記自由端の上面に当接する当接面を有しており、上記弾発可動片は、上記濾過エレメントの全周に配設されていることを特徴とするフィルタにある。
【０００７】
上記弾発可動片は，濾過エレメントの外周に設けられて，外方へ向かって広がるように拡開弾発している。そして，その拡開弾発力としては，例えば弾発可動片自身の弾性力を用いる。また，弾発可動片の形状としては，例えば断面形状をＶ字状に成形したもの，あるいは平面状のものを折り曲げてＶ字状にしたもの等がある。弾発可動片は，その先端に外方へ拡開弾発する自由端を有する。また，弾発可動片の材料としては，適度な剛性と弾性を有するクラフト紙，不織布，プラスチックス等がある。
また，弾発可動片は濾過エレメントに対して，接着剤等により結合されて濾過エレメントと一体的に連設されてもよい。
【０００８】
また，上記濾過エレメントとしては，不織布，エレクトリックペーパー，活性炭素繊維ペーパー等の材料がある。また，濾過エレメントの形状は，その用途に応じて適宜決定する。即ち，簡易な平坦状のもの，濾過面積を広げるために波状にしたもの，予めハニカム状に成形してあるもの等を用いることができる。
【０００９】
また，上記弾発可動片は，上記濾過エレメントの全周又は一部に設けられればよく，特に全周に配設されていることが好ましい。これにより，フィルタをフレームに装着した際，フィルタ全周とフレームとの間の隙間をなくすことができ，シール性の向上による濾過効率の向上を図ることができる。
【００１０】
また，上記本発明のフィルタをフレーム内に挿入配設したフィルタとして次のフィルタがある。
即ち，上記弾発可動片は，その基部が濾過エレメントに連結されていると共に，その先端部には自由端を有し，また上記濾過エレメント及び上記弾発可動片からなる上記フィルタは，フレーム内に挿入配設されており，かつ該フレームには上記弾発可動片の上記自由端を係止する係止部を有することを特徴とするフィルタがある。
【００１１】
この場合には，上記係止部が弾発可動片の自由端を係止するよう設けられている。そのため，フレームに挿入されたフィルタは，振動等により外れようとしても，上記弾発可動片が上記係止部に係合して動きが規制される。それ故，フィルタがフレームから外れることを確実に防止できる。
【００１２】
また，フィルタを引き出す際には，弾発可動片の自由端をフレームの係止部よりも内側に位置するように押圧することにより簡単に引き出すことができる。
【００１３】
上記フレームは，例えば空調装置等へフィルタを取り付けるための取り付け部材とすることができる。
上記フレームの係止部としては，例えば後述する実施例（図４参照）に示すごとく，弾発可動片に対向するフレームの側壁から内側に突出し，弾発可動片の自由端の上端を係止する突起状の係止部がある。
【００１４】
【作用および効果】
本発明のフィルタにおいては，外方へ拡開弾発された上記弾発可動片が設けられている。そのため，弾発可動片は，空調装置などに配設されているフレームにフィルタを挿入した際に，その拡開弾発力により外方に広がろうとしてフレームの側壁に密着する。
したがって，本発明によれば，フレームへの組付け性が良好なフィルタを提供することができる。
なお，弾発可動片がフィルタ全周に設けられることで優れたシール性を得ることができる。
なお，弾発可動片の自由端をフレームの係止部が係止することでフレームに確実に組付けることができる。
【００１５】
【実施例】
実施例１
本発明の実施例にかかるフィルタにつき，図１〜図４を用いて説明する。
本例のフィルタ１０は，自動車用空調フィルタであって，図１に示すごとく，濾過エレメント１と，該濾過エレメント１の外周に設けられ外方へ向けて拡開弾発された弾発可動片２とを有する。
また，上記弾発可動片２は，図１に示すごとく，濾過エレメント１の全周に配設されている。
【００１６】
また，上記弾発可動片２は，図１〜図３に示すごとく，その基部２１が濾過エレメント１に接着により連結されていると共に，その先端部には自由端２２を有する。また，図２に示すごとく，上記自由端２２は折り返されて，弾発可動片２の断面形状がＶ字状に形成されている。また，弾発可動片２としては，厚み１ｍｍのクラフト紙を用いた。
【００１７】
またフィルタ１０は，図１〜図３に示すごとく，フレーム６内に挿入配設されており，かつ該フレーム６には上記弾発可動片２の上記自由端２２を係止する係止部６１を有する。
上記濾過エレメント１は，濾材を波状に曲折したもので不織布により形成されている。
【００１８】
上記係止部６１は，図１に示すごとく，フレーム６の４枚の側壁に，それぞれ２か所ずつ，合計８か所設けられている。また，係止部６１の形状は，図４に示すごとく，挿入側（上部）にはテーパ部６１１を有し，内側には弾発可動片２の自由端２２の上面に当接する当接面６１２を有する。また，図４に示すごとく，係止部６１の当接面６１２の長さＬは，弾発可動片２の厚みや剛性によって異なるが１．５〜５ｍｍ程度が適当である。本例の場合は，弾発可動片２の厚みが１ｍｍのため，当接面６１２の長さは１．５ｍｍにしてある。
【００１９】
また，上記フィルタ１０の製造手順としては，まず図２（Ａ）に示すごとく，不織布を波状に成形した濾過エレメント１を準備し，次に図２（Ｂ）に示すごとく，濾過エレメント１の全周に平坦状の弾発可動片２を巻きつけ，その基部２１を濾過エレメント１に接着する。そして，図２（Ｂ）に示すごとく，弾発可動片２の４か所の角部に切れ目を入れて，自由端２２を折り返し，その断面形状をＶ字状にする。
【００２０】
次いで，図１，図２（Ｃ）に示すごとく，フレーム６の上方より，弾発可動片２の自由端２２と反対側の反転部（Ｖ字状の底部）２３を下方にして，係止部６１を下方へ押圧して，テーパ部６１１に沿って，フレーム６の中に挿入配設する（図３）。
【００２１】
次に本例における作用効果につき説明する。
本例のフィルタ１０においては，濾過エレメント１の外周に外方へ拡開弾発された上記弾発可動片２が設けられている。そのため，弾発可動片２は，フレーム６にフィルタ１０を挿入した際（図１，図２（Ｃ））に，その自由端２２が拡開弾発力により外方に広がろうとしてフレーム６の側壁に密着する。そのため，濾過エレメント１とフレーム６との間のシール性を向上することができる。
【００２２】
また，上記フレーム６には，弾発可動片２の自由端２２を係止する係止部６１が設けられている。そして，図３に示すごとく，フィルタ１０をフレーム６に挿入した状態においては，弾発可動片２の自由端２２と係止部６１とが係合状態となる。そのため，フレーム６に挿入されたフィルタ１０は，振動等により外れようとしても，弾発可動片２が上記係止部２２に当接し，これよりも上に出ることができない。それ故，フィルタ１０がフレーム６から外れることはない。
【００２３】
また，フィルタ１０をフレーム６から引き出す際には，弾発可動片２の自由端２２をフレーム６の係止部６１よりも内側に位置するように押圧することにより簡単に引き出すことができる。したがって，本例によれば，フレームへの組付け性が良好で，かつ，振動等によりフレームから外れることがない，フィルタを提供することができる。
【００２４】
また，本例においては，弾発可動片を濾過エレメントの全周に配設してある。そのため，フィルタとフレームとは全周において密着し，シール性が向上する。それ故，濾過効率の向上を図ることができる。
【００２５】
実施例２
本例においては，図５に示すごとく，実施例１の不織布よりなる波状の濾過エレメント１に代えて，脱臭機能を有するハニカム状の濾過エレメント１２を用いた。この，ハニカム状の濾過エレメント１２に対しては，図５に示すごとく，外周の４辺のうち，一対の対向する２辺にのみ，自由端２５２を有する弾発可動片２５を配設して，フィルタ１２０を構成した。
【００２６】
また，濾過エレメント１２と弾発可動片２５とは，実施例１と同様に，弾発可動片２５の基部２５１を濾過エレメント１２に接着することにより，連設，一体化した。また，弾発可動片２５としては，実施例１と同様に，厚み１ｍｍのクラフト紙を用いた。
【００２７】
また，フィルタ１２０を挿入固定するフレームは，実施例１のフレーム６に代えて，フィルタ１２０の２か所の弾発可動片２５に対向する２つの側壁に２ヶ所ずつ，合計４か所の係止部を有するフレームを用いた（図示略）。尚，本例における係止部の形状は，実施例１における係止部６１と同形状とした。また，その他は，実施例１と同様にした。
【００２８】
本例においても，実施例１と同様に，フレームへの組付け性が良好で，かつ，振動等によりフレームから外れない，フィルタを提供することができる。
また，本例においては，弾発可動片２５の４辺のうち，２辺のみに自由端２５２を配設してあるため，実施例１に比べてシール性は劣る。しかし，本例のフィルタ１２０は，脱臭用のフィルタであり，それ程高いシール性が要求されていないため，問題はない。
【００２９】
実施例３
本例においては，図６に示すごとく，実施例２の弾発可動片に代えて，端板５をハニカム状の濾過エレメント１３の外周に配設した。そして，濾過エレメント１３の端板５の一辺の中央部付近には，別途作製した弾発可動片２６を接着して，脱臭用のフィルタ１３０を構成した。この弾発可動片２６は，図６に示すごとく，濾過エレメント１３の一辺の長さの約１／３の長さであり，基部２６１と自由端２６２とを有する。また，弾発可動片２６としては，実施例２と同様に，厚み１ｍｍのクラフト紙を用いた。
【００３０】
また，このフィルタ１３０を挿入固定するフレームは，実施例１のフレーム６に代えて，上記１か所の弾発可動片２６に対向する側壁に２個の係止部を有するフレームを用いた（図示略）。尚，本例における係止部の形状は，実施例１における係止部６１と同形状とした。また，その他は，実施例２と同様にした。
本例においては，実施例２と同様の作用効果を得ることができる。
【図面の簡単な説明】
【図１】実施例１のフィルタの展開斜視図。
【図２】実施例１のフィルタの製造手順の説明図。
【図３】実施例１のフィルタの断面斜視図。
【図４】実施例１における，フレームの係止部の断面図。
【図５】実施例２のフィルタの斜視図。
【図６】実施例３のフィルタの説明図。
【図７】従来例のフィルタのフレーム装着前の斜視図。
【図８】従来例のフィルタのフレーム装着時の断面図。
【図９】他の従来例のフィルタの断面斜視図。
【符号の説明】
１．．．濾過エレメント，
１０．．．フィルタ，
２．．．弾発可動片，
２１．．．基部，
２２．．．自由端，
６．．．フレーム，
６１．．．係止部，
【図１】
0003745787.tif 000002
【図２】
0003745787.tif 000003
【図３】
0003745787.tif 000004
【図４】
0003745787.tif 000005
【図５】
0003745787.tif 000006
【図６】
0003745787.tif 000007
【図７】
0003745787.tif 000008
【図８】
0003745787.tif 000009
【図９】
0003745787.tif 000010